(57)【要約】【課題】流体が循環される管路に介設されたストレーナの異物の詰まり具合と流体の流れ状態を外部より簡単に視認できるコンパクト、高寿命で安価なインジケータ付ストレーナ装置を提供する。【解決手段】インジケータ付ストレーナ装置は本体１の流入口５と流出口６の間に空間８を持ち、空間８から流出口６への通路６ａ入口部にストレーナ３を配設し、空間８内には流体内で流動するインジケータボール４が収容され、更に、流入口５と流出１６の間の本体側部に空間８の内部状態が視認できる透視板２１を備える。【選択図】図１
2008136995.tif 000002
【特許請求の範囲】
【請求項１】
配管の途中に設置され、該配管内の流体の異物を濾過するストレーナ装置において、該ストレーナ装置の流体の流入口と流出口の間の本体内に空間を持ち、該空間内には流体内で流動する１叉は複数の流動体（インジケータボール）が収容され、さらに該流出口側にはストレーナが配設され、該流出口と該流入口の間の少なくとも一方の該本体側部に固定された透視板を備えた流通確認用インジケータ付ストレーナ装置。
【請求項２】
本体内の空間の形状を流体流れ方向に対し略円筒形とし、流体の流入口および流出口から該空間への通路を流体の流れが略円筒形の外周に沿って流れるように略円筒形の外周方向に向け、斜め加工としたことを特徴とする請求項１の流通確認用インジケータ付ストレーナ装置。
【請求項３】
上記本体内の空間の流出口側に配設されたストレーナにおいて、該流出口への通路入口部の該ストレーナを該本体内の空間の内側に向けて突出したことを特徴とする、請求項１、および請求項２の流通確認用インジケータ付ストレーナ装置。
【発明の詳細な説明】
【技術分野】
【０００１】  本発明は、流体が循環される管路に介設される流体の中の塵埃を除去するストレーナ装置に関し、特に、異物の詰まりによる流体の流れの異常を簡単に、目視により確認できるインジケータ付ストレーナ装置に関する。
【背景技術】
【０００２】  通常、流体循環システム装置において、例えば、冷熱装置では、熱源装置と熱交換器とを含む管路にポンプにより冷温水が循環されている。そして冷温水の中の異物を取り除くためにスクリーンを内蔵したストレーナが介設され、ストレーナの詰まり具合を水の流れる方向に対して底面が傾けられて配設された筒状のスクリーンとスクリーンが受ける圧力またはスクリーンの変位を計測するセンサを有して、規定値に達したとき、信号を発信する。（例えば、特許文献１参照）【０００３】  また、流体の流通状況を確認する装置としては流体循環管路に介設され、流入ポートと流出ポートの間の側面に透視板を設置し、更に、透視板の内側に流体の流れにより浮動する浮動体を仕切り部材で透視板との間に収容し、流体の流れ具合を外部より視認する。（例えば、特許文献２参照）
【特許文献】１．特開２００６−９５４８７号公報  ２．特開２００３−３５７２０号公報
【発明の開示】
【発明が解決しようとする課題】
【０００４】  しかし、従来のストレーナ装置においては、ストレーナの詰まり具合を検出する場合、流体の流れる方向に対して底面が傾けられて配設された筒状のスクリーンとスクリーンが流れにより受ける圧力、またはスクリーンの変位を計測するセンサが配設されて、スクリーンが詰まって不具合になる少し前に異常を発信するシステムのためストレーナ装置全体が大きくなり、高価なものとなる。また、スクリーンが流れにより受ける圧力、またはスクリーンの変位をセンサにより検出するため、流体圧力の高低により誤信号を発信する問題がある。【０００５】  また、流体の流れを視認する装置としては、流入ポートと流出ポートの間の側面に透視板を設置し、更に、透視板の内側に流体の流れにより浮動する浮動体を仕切り部材で透視板との間に収容し、流体の流れ具合を外部より監視する流通視認装置があるが、ストレーナとは別に流体循環管路の途中に介設するため、コストも高く、またスペースも余分に必要となる。
【課題を解決するための手段】
【０００６】  このために本発明の請求項１のインジケータ付ストレーナ装置は流入口と流出口の間の本体内に空間を持ち、流出口側に異物を濾過するストレーナを配設し、空間内には流体の流れにより流動する流動体（例えば、インジケータボール）が１叉は複数収容され、更に、ストレーナ装置の流体流れに対する本体側面には内部の流れ状態を流動体の動きにより視認できるように透視板が備えられていることを特徴とする。【０００７】  請求項２のインジケータ付ストレーナ装置は流体の流入口と流出口の間の本体空間内を透視板から見た断面が略円形になっており、更に、本体空間内での流体の流れの中で流動体が本体空間内の略円形に沿って流れるように流入口、および流出口への本体空間からの通路が本体空間の略円形外周に向けて斜めに加工されたことを特徴とする。【０００８】  請求項３のインジケータ付ストレーナ装置は流動体が流体の流れに沿って、本体の空間内流出口側への通路入口部に停滞して流路を塞ぐことがないように、本体内から流出口への通路入口部のインジケータ形状を本体空間内側に向けて突出させたことを特徴とする。
【発明の効果】
【０００９】  これら請求項１，２のインジケータ付ストレーナ装置においては、ストレーナ装置の本体内に流動体（インジケータボール）を収容し、本体側面に取り付けられた透視板を通して内部の流体流れの状態が流動体の動きにより常に視認でき、また、透視板からストレーナ部の異物の詰まり具合を高価なセンサーを使用することなく確認できる。【００１０】  また、請求項３のインジケータ付ストレーナ装置においては流動体が流体の流れに沿って、本体空間内の流出口側への通路入口部に停滞して流路を塞ぐことがなくなり、更に、インジケータを突出することにより、突出部への異物の堆積がなくなって、インジケータの濾過面積も広くなることから、長期濾過効果が発揮できる。
【発明を実施するための最良の形態】
【００１１】  以下、本発明の第１実施形態を図面に基づいて詳細に説明する。図１はインジケータ付ストレーナ装置の正面断面図を示している。図に示すように本体１の中心部には略円筒形の空間８が配設され、本体１の両端には流体の流入口５と流出口６が通路５ａ、６ａを通して空間８に連通されている。【００１２】  更に、略円筒形の空間８内の流出口への通路６ａ入口部には金属網でできたストレーナ３が略半円筒形状に配置され、ストレーナには略半円筒形状の上下両端を外側に略直角に曲げられた先端部３１、３２が略円筒形の空間８の上部と下部に配設された凹溝１２、１３に装着されている。更に、空間８内には流体の流れ状態を視認しやすいように流動体としてのインジケータボール４が複数個封入され、本体１の流体流れの側面部には図２に示すように透視板２１と透視板２２がボルト７１、７２により、本体１内の流体の外部への漏れを防ぐためのシールパッキン（図示せず）を本体との間に挟んだ状態で締結されている。【００１３】  動作を説明すると、流体循環システム装置において、本体１の両側面の透視板２１，２２より空間８内の流出口６への通路６ａ入口部に配設されたストレーナ３部の異物の詰まり具合を確認でき、更に、流体が循環されているときには、流体は流入口５から通路５ａを通って略円筒形の空間８内に流れ込み、ストレーナ３で異物を濾過して、通路６ａを通って流出口６より流れ出る。このとき流体が流入口５より入り、狭い通路５ａを通って広い空間８内に流れ込み流れが乱れるため、空間８内の流れの中にあるインジケータボール４も流れに沿って動き、その動きにより流体の流れ状態を簡単に視認できる。【００１４】  このように、視認用インジケータとストレーナ装置とを一体化することにより、ストレーナ３部の異物の詰まり具合の確認と流体の流れ状態を一度に視認できるため、異物が詰まったり、流れ状態に変化がおきたときは、より早く対応でき、保守についても、流路を止め、本インジケータ付ストレーナ装置の透視板２１、２２のどちらかの固定ボルト７１、７２を外すだけで対応できる。また、異物の詰まり具合の確認と流体の流れ状態の確認作業も簡単に視認できるため、流体循環管路も省スペース、コンパクトにでき、さらに、センサを使用していないためコストも安価にできる。【００１５】  さらに、請求項２のインジケータ付ストレーナ装置は流体が流入口５より入り、本体の空間８に流れ込む流入通路５ａが略円筒形状の空間８内の略円筒形外周方向に向けて斜め加工され、更に、空間８から流出する流出通路６ａも通路５ａと同じ空間８内の略円筒形外周方向に向けて斜め加工されている。これにより流体の流れが空間８内で空間８の略円筒形外周に沿って流れるため、流体の中のインジケータボール４が同じように空間８内を流動するために流れ状態がよりはっきりと透視板２１、または透視板２２を通して確認できる。【００１６】  次に、請求項３に示す実施形態を説明すると、本体内の空間８の流出口６への通路６ａ入口部に配設されたストレーナの通路６ａ入口部に位置する部分が空間８の内側方向に半球面状に突出されている。このことによりストレーナの濾過面積が広くなり流体中の異物に対して長期濾過効果が可能となり、また、インジケータボール４が空間８から流出口６への通路６ａ入口部に停滞して、流路を塞ぐことがなく、十分な流量を流すことが出来る。
【実施例】
【００１７】  本発明の実施例として、透視板２１，２２は透明度の高い樹脂（ポリカーボネート）を使用し、流入口５と流出口６はテーパ雌ねじＲｃ１／２が本体１の流れの同一線上に配設され、本体内空間８への通路は流れの同一線上に対して６．５ｍｍの孔を１５°斜め加工し、インジケータボールは球径８ｍｍの樹脂を５個使用し、ストレーナは０．２９ｍｍ×３０メッシュを使用して、異物の堆積状態、及びインジケータボールの流動状態により流れを確認できた。
【図面の簡単な説明】
【００１８】
【図１】本発明のインジケータ付ストレーナ装置の正面断面図である。
【図２】図１の右側面図である。
【図３】ストレーナの正面図である。
【図４】図３のｉ−ｉ断面図である。
【符号の説明】
【００１９】  １−本体
３−ストレーナ
４−インジケータボール
５−流入口
６−流出口
８−空間
１１−ねじ
１２，１３−凹溝
２１，２２−透視板
３１，３２−インジケータの先端部
３３−突出部
７１，７２−ボルト
５ａ、６ａ−通路
【図１】
2008136995.tif 000003
【図２】
2008136995.tif 000004
【図３】
2008136995.tif 000005
【図４】
2008136995.tif 000006